(57)【要約】      （修正有）【課題】植物種子が表面で固定され台紙を使用して、間引き作業をできるだけ少なくでき、操作性もよく、しかも施された肥料をできるだけ均一に存在でき、効率良く植物が吸収できる技術を提供する。【解決手段】水溶性又は生分解性のテープ状台紙表面又は紙製テープ状台紙表面に複数個のでんぷん糊塗布部３を前記水溶性又は生分解性のテープ又は紙テープ１の長手方向に所定間隔を保ち、しかも前記水溶性又は生分解性のテープ又は紙テープ１の端からテープの幅方向に所定間隔を保つように設け、前記でんぷん糊塗布部３に１粒あるいは複数粒の植物種子２を載置すると共に、隣接する前記でんぷん糊塗布部３５同士の間に粒状肥料が載置されたでんぷん糊塗布部３５を配置し、しかも前記植物種子２と粒状肥料５とは紙製擁護シール４で覆われていることを特徴とする播種用台紙１０を用いる。【選択図】図１
2015073500.tif 000002
【特許請求の範囲】
【請求項１】
水溶性又は生分解性のテープ状台紙表面又は紙製テープ状台紙表面に複数個のでんぷん糊塗布部を、前記水溶性又は生分解性のテープ又は紙テープの長手方向に所定間隔を保ち、しかも前記水溶性又は生分解性のテープ又は紙テープの端からテープの幅方向に所定間隔を保つように設け、前記でんぷん糊塗布部に１粒あるいは複数粒の植物種子を載置すると共に、隣接する前記でんぷん糊塗布部同士の間に粒状肥料が載置されたでんぷん糊塗布部を配置し、しかも前記植物種子と粒状肥料とは紙製擁護シールで覆われていることを特徴とする播種用台紙。
【請求項２】
粒状肥料が載置されたでんぷん糊塗布部を、植物種子が載置されたでんぷん糊塗布部と反対側の面であって、隣接する二つの前記植物種子が載置されたでんぷん糊塗布部に相当する部位の間に配置する請求項１記載の播種用台紙。
【請求項３】
一つのでんぷん糊塗布部に載置されている植物種子と前記でんぷん糊塗布部に隣接する粒状肥料が載置されたでんぷん糊塗布部の粒状肥料とを一つの紙製擁護シールで覆うことを特徴とする請求項１記載の播種用台紙。
【請求項４】
植物種子が載置されたでんぷん糊塗布部と粒状肥料が載置されたでんぷん糊塗布部との間にミシン目を設けることを特徴とする請求項１−３のいずれか記載の播種用台紙。
【請求項５】
水溶性又は生分解性の円形台紙表面又は紙製円形台紙表面に複数個のでんぷん糊塗布部を相互に所定間隔を保つように設け、前記でんぷん糊塗布部に１粒あるいは複数粒の植物種子を載置すると共に隣接された前記でんぷん糊塗布部同士の間に粒状肥料が載置されたでんぷん糊塗布部を配置し、しかも前記植物種子と粒状肥料とは紙製擁護シールで覆われていることを特徴とする播種用台紙。
【請求項６】
粒状肥料が載置されたでんぷん糊塗布部を、植物種子が載置されたでんぷん糊塗布部と反対側の面であって、隣接する二つの前記植物種子が載置されたでんぷん糊塗布部に相当する部位の間に配置する請求項５記載の播種用台紙。
【請求項７】
請求項１〜３のいずれかに記載の播種用台紙を、畑土中に所定の角度を保ち、しかも水溶性又は生分解性のテープ状台紙の一端が畑土表面とほぼ同じレベルとなるように埋め込むことを特徴とする植物種子を畑土内で所定の深さに存在させる植物種子の播種方法。
【発明の詳細な説明】
【技術分野】
【０００１】
本発明は、畑で植物を栽培する際に用いる播種台紙及び当該播種台紙を用いた植物種子を播種する方法に関する。とくに、本発明は、畑で植物を栽培する際に、簡単な操作で植物種子を所定の深さに播種できる方法及び当該播種方法に使用する播種台紙に関する。
【背景技術】
【０００２】
畑で野菜等の植物（以下、植物ということがある）を栽培する際には、畑土を耕し、植物を成長させるために必要な肥料等を施し、植物種子を播き、発芽後、植物同士の間隔を適正にし、植物の育成を図るために植物を間引くこと等が必要となる。前記間引きは、密植状態の植物を適切な間隔を保つようにすること、適切に成長している植物を残し、適度の間隔をもって植物を成長させることができるという意味があり、植物の収量を確保し、さらには増大させることが可能となる意味がある。しかしながら、発芽直後の植物を間引く第１回目の間引き作業、少し植物が成長したときに行う第２回目の間引き作業後にも、植物の生長に応じて数回の間引き作業がなされ、間引かれた植物の数が多くなるし、間引き作業に要する時間も多い。そのうえ、植物同士の間隔を適正に保つために、適切に成長している植物を取り除かねばならないことも多々ある。植物を大きく成長させたにもかかわらず、その植物を取り除くことは作業の無駄であり、経済的な損失ともなる。また、種子を播き、発芽させた植物を引き抜くこともできれば回避したいところである。
【０００３】
畑に播く種子の数を減らしてみると、間引く植物の数を減らすことは可能となり、適切に成長している植物を取り除かねばならないことも解消されたが、今度は成長している植物同士の間隔を適正に保つことができず、ときには、適切に成長している植物同士の間隔が大きすぎ、植物の収量が減ってしまうという新たな問題点が生じてしまう。
間引く植物の数を減らし、しかも、適切に成長している植物同士の間隔を適正に保つことができ、植物の収量が減ることもない技術の開発が求められている。
なお、シート状素材に所望の種類の植物種子を固着した播種シートは知られているが（特許文献１、２）、そこには、植物を間引く考えがなく、間引く操作への対応はなされていない。
【０００４】
植物を順調に成長させるためには肥料を施すことも大切である。例えば、播種前に化成肥料等の肥料を畑土に施し、耕す作業が行われるが、施された肥料が畑土内にできるだけ均一に存在し、植物に効率良く吸収されれば有利であり、施された肥料が有効に利用される技術の開発が待たれている。
【先行技術文献】
【特許文献】
【０００５】
【特許文献１】特開２０１０−２７９２９９号公報
【特許文献２】特開平５−２５５６４６号公報
【発明の概要】
【発明が解決しようとする課題】
【０００６】
本発明者は、特に発芽直後に行われる間引き作業の回数を減らし、間引く植物の数を減らすためには、畑土に播く種子同士の間隔を工夫すればよいとの考えの下に、植物種子が成長した時に適正な間隔を保つ距離だけ離して畑土に種子を播けばよいとの考えに到着し、畑土に通常よりも少ない種子数を播種してみたが、適正な間隔を保つ距離だけ離して畑土に種子を播くことができなかった。そこで、いろいろと工夫した結果、紙テープ表面に植物種子を適正な間隔を保つ距離だけ離して固定した後、当該テープを畑土内に埋め込んだところ、発芽直後に行われる間引き操作をなくすることができた。
しかし、例えば植物種子が固定された紙テープを畑土内に埋め込む際に植物種子が剥がれ落ちてしまう等の新たな問題が生じたので、前記紙テープの操作性が改善されることが望まれている。
【０００７】
発明者はさらに施された肥料が畑土内にできるだけ均一に存在でき、植物に効率良く吸収できる技術について検討し、施された肥料が畑土内にできるだけ均一に存在でき、特に発芽後のできるだけ早い時期に植物が肥料を効率良く吸収できる技術を開発するべくいろいろと工夫した結果、化成肥料等の粒状の肥料を前記テープ表面に固定された植物種子の近くに配置すればよいと考え、さらに検討を加え、本発明を完成させた。
すなわち、植物種子が表面で固定され台紙を使用して、間引き作業をできるだけ少なくでき、操作性もよく、しかも施された肥料をできるだけ均一に存在でき、効率良く植物が吸収できる技術を提供することが、本発明の課題である。また、台紙表面に固着された植物種子が剥がれ落ちることなく、しかもほぼ均一な深さで畑土内に保つことができ、間引き作業をできるだけ少なく、しかも施された化成肥料をできるだけ均一に存在でき、できるだけ効率良く植物が吸収できる技術を提供することが、本発明の課題である。さらに、簡単な操作で、台紙表面に固着された植物種子がほぼ均一な深さで畑土内に保つことができるような技術を提供することが、本発明の課題でもある。
【課題を解決するための手段】
【０００８】
前記課題を解決するため、本発明の請求項１は、水溶性又は生分解性のテープ状台紙表面又は紙製テープ状台紙表面に複数個のでんぷん糊塗布部を、前記水溶性又は生分解性のテープ又は紙テープの長手方向に所定間隔を保ち、しかも前記水溶性又は生分解性のテープ又は紙テープの端からテープの幅方向に所定間隔を保つように設け、前記でんぷん糊塗布部に１粒あるいは複数粒の植物種子を載置すると共に、隣接する前記でんぷん糊塗布部同士の間に粒状肥料が載置されたでんぷん糊塗布部を配置し、しかも前記植物種子と粒状肥料とは紙製擁護シールで覆われていることを特徴とする播種用台紙である。本発明の請求項１は、水溶性又は生分解性のテープ状台紙表面又は紙製テープ状台紙表面に複数個のでんぷん糊塗布部を、前記水溶性又は生分解性のテープ又は紙テープの長手方向に所定間隔を保ち、しかも前記水溶性又は生分解性のテープ又は紙テープの端からテープの幅方向に所定間隔を保つように設け、前記でんぷん糊塗布部に１粒あるいは複数粒の植物種子を載置すると共に、前記でんぷん糊塗布部の右側、または左側に粒状肥料が載置されたでんぷん糊塗布部を配置し、しかも前記植物種子と粒状肥料とは紙製擁護シールで覆われていることを特徴とする播種用台紙でもある。ここで、前記粒状肥料が載置されたでんぷん糊塗布部は、前記植物種子の発芽時に出た根が吸収できる距離に配置される。
本発明の請求項２は、請求項１の発明において、粒状肥料が載置されたでんぷん糊塗布部を、植物種子が載置されたでんぷん糊塗布部と反対側の面であって、隣接する二つの前記植物種子が載置されたでんぷん糊塗布部に相当する部位の間に配置することである。また、本発明の請求項２は、請求項１の発明において、粒状肥料が載置されたでんぷん糊塗布部を、植物種子が載置されたでんぷん糊塗布部と反対側の面であって、粒状肥料が載置されたでんぷん糊塗布部に相当する部位に配置することでもある。ここで、粒状肥料が載置されたでんぷん糊塗布部に相当する部位に配置するとは、例えば、図２（c）に示されるように、粒状肥料が載置されたでんぷん糊塗布部が、図２（b）に示される粒状肥料が載置されたでんぷん糊塗布部の位置とほぼ同じであるが、反対側の面に配置することをいう。
本発明の請求項３は、請求項１記載の発明において、一つのでんぷん糊塗布部に載置された植物種子と前記でんぷん糊塗布部に隣接する粒状肥料が載置されたでんぷん糊塗布部の粒状肥料とを一つの紙製擁護シールで覆うことである。
本発明の請求項４は、請求項１−３のいずれかの発明において、植物種子が載置されたでんぷん糊塗布部と粒状肥料が載置されたでんぷん糊塗布部との間にミシン目を設けることである。前記ミシン目は切離し自由に設けられているので、テープ状台紙を部分的に切離すことができる。また、一つの紙製擁護シールで覆われた植物種子が載置されたでんぷん糊塗布部と粒状肥料が載置されたでんぷん糊塗布部を切離すことができるようにミシン目を設けることもできる。
本発明の請求項５は、水溶性又は生分解性の円形台紙表面又は紙製円形台紙表面に複数個のでんぷん糊塗布部を相互に所定間隔を保つように設け、前記でんぷん糊塗布部に１粒あるいは複数粒の植物種子を載置すると共に隣接された前記でんぷん糊塗布部同士の間に粒状肥料が載置されたでんぷん糊塗布部を配置し、しかも前記植物種子と粒状肥料とは紙製擁護シールで覆われていることを特徴とする播種用台紙である。
本発明の請求項６は、請求項５の発明において、粒状肥料が載置されたでんぷん糊塗布部を、植物種子が載置されたでんぷん糊塗布部と反対側の面であって、隣接する二つの前記植物種子が載置されたでんぷん糊塗布部に相当する部位の間に配置することである。
本発明の請求項７は、請求項１〜３のいずれかに記載の播種用台紙を、畑土中に所定の角度を保ち、しかも前記水溶性又は生分解性のテープ状台紙の一端が畑土表面とほぼ同じレベルとなるように埋め込むことを特徴とする植物種子を畑土内で所定の深さに存在させる植物種子の播種方法である。ここで水溶性又は生分解性のテープ状台紙又は紙テープ状台紙の一端が畑土表面とほぼ同じレベルとなるようにとは、水溶性又は生分解性のテープ状台紙又は紙テープ状台紙の一端の全てあるいはほとんどの部分が畑土表面とほぼ一つの表面を形成するようにという意味である。
【０００９】
本発明でいう水溶性又は生分解性のテープ状台紙は、公知の水溶性又は生分解性のテープから得られる台紙を意味する。
本発明でいう水溶性又は生分解性の円形状又は多角形状の台紙は、公知の水溶性又は生分解性の円形シートまたは多角形状シートから得られる台紙を意味する。
前記水溶性又は生分解性の素材としては、例えば、ポリビニルアルコール、部分ケン化された酢酸ビニル重合体等の水溶性の素材、あるいはポリ乳酸、生分解性ポリエステル等の生分解性の素材が挙げられ、それらの素材から製造されるテープ、円形シートまたは多角形状シートが本発明では採用される。
本発明でいう紙製テープ状台紙は、公知の紙テープから得られる台紙を意味する。
本発明でいう円形状又は多角形状の紙製台紙は、公知の円形状又は多角形状の紙から得られる台紙を意味する。
紙テープとしては例えば土中で分解するか、あるいは水に溶ける和紙製テープ、障子紙製テープ、キッチンタオル製テープ、トイレットペーパー製テープ等を挙げられるが、それらに限定されない。前記例示されたものの中では、和紙製テープが操作性、保水性等の点からみて好ましい。円形状又は多角形状の紙としては、例えば土中で分解するか、あるいは水に溶ける和紙、障子紙、キッチンタオル、トイレットペーパー等から得られる円形状又は多角形状の紙を挙げられるが、それらに限定されない。前記例示されたものの中では、和紙からえられたものが操作性、保水性等の点からみて好ましい。
前記テープ状台紙（以下、テープということがある）の長さは所期の目的、効果を達成できるかぎり特に制限されない。テープの幅は、例えば１５ｍｍ〜４５ｍｍを挙げられるが、植物種子が埋め込まれる深さとでんぷん糊塗布部を保持できる幅であればよいのであって、それ以上の幅であれば特に制限されない。ただし、テープの幅が大きすぎると、播種台紙を埋め込むときに不利である。前記円形状又は多角形状の台紙（以下、円形台紙ということがある）の大きさは、所謂穴あきマルチングシートに設けられた穴に配置できる大きさであれば、特に制限されない。前記穴あきマルチングシートに設けられた穴の直径は、通常４０−６０ｍｍの範囲に収まるが、それらに限定されない。
【００１０】
本発明ではテープ表面に複数個のでんぷん糊塗布部をテープの長手方向に所定間隔を保ち、しかも前記テープの一端からテープの幅方向に所定間隔を保つように廃位することが大きな特徴である。
前記テープの長手方向に所定間隔保つというときの所定間隔とは、植物が適正に成長できるような十分な間隔であって、しかも最も短い間隔ということができる。また、植物の収穫時に形状や質が悪い状態ではなく、収量が多くなるよう植物が成長できる間隔ということもできる。さらには、植物種子の発芽時から数日の間に行われていた発芽した植物を間引く操作が不要となる間隔ということもできる。前記所定間隔は植物によって異なるので、一概に数値で表現することは困難であるが、例えば、数ｍｍから数十ｃｍとすることを例示でき、より具体的には３ｍｍから３０ｃｍとすれば好ましい結果を得ること多く、さらに８ｍｍから３０ｃｍとしてもよい。いずれにせよ、育成しようとする植物に応じて最適な間隔を採用すればよい、前記所定間隔が短すぎると、いわゆる密植状態となり、例えば痩せた細長い植物となるなど形状や質が良いとはいえない植物に育ってしまう恐れがある。また、前記所定間隔が長すぎると、収穫時の植物の収量が減るという欠点が生じる。
前記テープの一端からテープの幅方向に所定間隔を保つというときの所定間隔とは、植物種子が適切に発芽できるような十分な深さということができる。前記所定間隔は植物種子によって異なるので、一概に数値で表現することは困難であるが、例えば、３ｍｍから１６ｍｍ、さらには、５ｍｍから１６ｍｍとすることを挙げることができる。いずれにせよ、育成しようとする植物に応じて最適な間隔を採用すればよい、前記所定間隔が短すぎると、播種された植物種子は浅すぎることに繋がり、例えば発芽しない等の欠点が生じ、前記所定間隔が長すぎると、播種された植物種子は深すぎることに繋がり、例えば発芽するのに時間がかかる等の欠点が生じ、ときには発芽しないことになる場合もある。  
本発明では円形台紙表面に複数個のでんぷん糊塗布部を相互に所定間隔を保つように廃位することができる。ここでいう所定間隔は前記テープで説明した長手方向に所定間隔保つというときの所定間隔と同様である。
【００１１】
本発明でいうでんぷん糊はすでに知られている。でんぷん糊を自作することもできるが、市販されているでんぷん糊を使用してもよい。
テープ表面にでんぷん糊塗布部を廃位する手段はしては、あらかじめテープ表面にテープの一端と平行でテープの一端から所定間隔離れた平行線を引いておき、当該線上で所定間隔離離して、でんぷん糊塗布具を用いてでんぷん糊塗布部を廃位する方法が挙げられるが、当該方法に限定されないのであって、最適な方法を適宜採用すればよい。円形台紙表面にでんぷん糊塗布部を廃位する手段としては、でんぷん糊塗布具を用いてでんぷん糊塗布部を廃位する方法挙、最適な方法を適宜採用すればよい。
【００１２】
本発明で使用される植物種子の大きさはほぼ０．１ｍｍから数ｍｍ程度の大きさの種子であることが好ましい。
本発明でいうテープでは、前記植物種子を前記でんぷん糊塗布部に１粒ないし数粒、より具体的には２〜６粒載置することが好ましく、さらに２〜４粒載置することが好ましい。
でんぷん糊塗布部に植物種子を載せる方法は特に制限されない。なお、植物種子をテープ上端とほぼ平行に並べるように載置させることが重要である。
本発明でいう円形台紙では、前記植物種子を前記でんぷん糊塗布部に１粒ないし数粒、より具体的には１〜６粒載置することが好ましく、さらに１〜４粒載置することが好ましい。
でんぷん糊塗布部に植物種子を載せる方法は特に制限されない。なお、植物種子を円形台紙の中心に向かう仮想線にそって載置させることが好ましい。
上記載置された種子をさらに紙製擁護シールで覆っておくことが本発明の特徴の一つである。でんぷん糊塗布部それぞれを紙製擁護シールで覆ってもよいが、複数個のでんぷん糊塗布部を一つの紙製擁護シールで覆ってもよい、紙製擁護シールで覆うと、固定されている植物種子がテープや円形台紙から剥がれることも解消され、特に和紙製擁護シールで覆うと、水分保持効果に優れ、植物の生長に有効である。さらに全てのでんぷん糊塗布部を一つの紙製擁護シールで覆っておくと、操作性が向上し、とくにテープを畑土内に埋め込むときに有利である。
【００１３】
前記テープから得られた播種用台紙には、前記でんぷん糊塗布部とテープの一端との間、または、隣接する二つの前記でんぷん糊塗布部の間に肥料の粒や成長促進剤の粒等植物の成長に有効な物質の粒（以下、粒状肥料ということがある）が載置されたでんぷん糊塗布部を１粒又は複数粒配置することが好ましい。すなわち、前記でんぷん糊塗布部とテープの一端との間、または、隣接する二つの前記でんぷん糊塗布部の間に１個又は複数個のでんぷん糊塗布部を配置し、それぞれのでんぷん糊塗布部に粒状肥料を１粒又は複数粒配置することが好ましく、肥料の粒及び成長促進剤の粒等植物の成長に有効な物質の粒を混在させてもよい。
前記円形台紙から得られた播種用台紙には、粒状肥料が載置されたでんぷん糊塗布部を１個又は複数個配置することが好ましい。すなわち、前記播種用台紙のほぼ中央部、及び/又は、隣接する二つのでんぷん糊塗布部の間に複数個のでんぷん糊塗布部を配置し、それぞれのでんぷん糊塗布部に粒状肥料を１粒又は複数粒配置することが好ましく、肥料の粒及び成長促進剤の粒等植物の成長に有効な物質の粒を混在させてもよい。
前記粒状肥料を、さらに紙製擁護シールで覆っておくことが本発明の特徴の一つである。紙製擁護シールで覆うと、固定されている粒状肥料がテープから剥がれ落ちることも解消され、特に和紙製擁護シールで覆うと、さらに水分保持効果に優れ、植物の生長に有効である。前記粒状肥料が載置されたでんぷん糊塗布部それぞれを紙製擁護シールで覆ってもよいが、複数個のでんぷん糊塗布部を一つの紙製擁護シールで覆ってもよい、
本発明でいうテープ状台紙には、植物種子が載置されたでんぷん糊塗布部及び粒状肥料が載置されたでんぷん糊塗布部を切離せるようなミシン目が設けられていてもよい。切離されるでんぷん糊塗布部は単独でもよく、２以上の複数個であってもよい。
本発明では、前記種子載置でんぷん糊塗布部と粒状肥料載置でんぷん糊塗布部がテープ又は円形台紙の同一平面上に配置されていてもよいが、裏面と表面のように異なる表面に配置されていてもよい。
【００１４】
かくして製造されたテープからの播種用台紙（以下、種子テープということがある）を、前記種子が所定の深さを保つために、畑中に所定の角度を保ち、しかも当該種子テープの一端は畑土表面とほぼ同じレベルとなるように埋め込むことが好ましい。前記所定の角度は、畑土表面を基準としてほぼ垂直となるようにすることが好ましいが、それに限定されない。また、粒状肥料が配置されている種子テープを畑に埋め込むときには、種子が前記粒状肥料よりも地表側となるように埋め込むことが必要である。なお、種子テープの一端は畑土表面よりも突出しても、その突出された種子テープの一端が畑土表面を基準としてほぼ均一な長さで突出している限り、本発明の範囲内である。
かくして製造された円形台紙からの播種用台紙（以下、円形種子台紙ということがある）を、マルチングシートの穴から前記種子が所定の深さを保つように埋め込むことが好ましい。埋め込む方法はとくに制限されないのであって、最適な方法を採用すればよい。
【００１５】
本発明でいう種子テープを埋め込む方法として、棒状物を畑内に所定の深さとなるように押し込み、東配棒状物を押し込んだままの状態で横に移動させてほぼ均一は深さを有する溝を設けた後、当該溝に種子テープを挿入し、種子テープの一端と種子テープ近傍の畑土とがほぼ同じた面となるようにする方法を挙げることができる。また、種子テープに設けられたミシン目に沿って切離した種子テープの一部分を上記の方法に従って畑土内に埋め込んでもよいし、穴あきマルチングシートの穴内の畑土内に上記の方法に従って溝を設け、種子テープの一部分を上記の方法に従って畑土内に埋め込んでもよい。本発明でいう円形種子台紙を穴あきマルチングシートに設けられた穴内に配置し、前記円形種子台紙よりも多少広めであって、ほぼ平面状の部分を有する物体を用いて円形種子台紙を一様に押し込んだ後、当該円形種子台紙上を畑土で覆い、ほぼ平面となるようにする方法で、円形種子台紙を畑土内に埋め込んでもよい。本発明では、それら方法に限定されないのであって、最適な方法を適宜採用すればよい。
【発明の効果】
【００１６】
本発明により、間引き作業の軽減化を可能とし、種子テープ又は円形種子台紙から固定された植物種子が剥がれ落ちるという欠点が解消され、操作性が向上した種子テープ又は円形種子台紙を得ることができる。さらに、施された肥料の濃度の均一性が向上され、植物はより効率的に肥料を吸収することができる種子テープ又は円形種子台紙を得ることができる。また、本発明の種子テープを使用すると植物種子が畑土中にほぼ均一な深さで、しかも簡単に播種することが可能となった。植物種子はほぼ均一な深さで埋め込まれているので、発芽時期が揃うという特長がある。また、植物種子同士は適切な間隔が保たれており、しかも適正な深さも保たれている。従って、発芽直後の間引きは不要であり、ある程度大きくなった植物を間引く作業も大幅に少なくなり、１回で済むことも可能となる。
本発明により、植物種子から簡単な方法で大きく成長した植物に育てることができる。とくに、本発明の種子テープを使用すると植物種子が畑土中にほぼ均一な深さで、しかも簡単に播種することが可能となり、大きく成長した植物に育てることができる。
【図面の簡単な説明】
【００１７】
【図１】図１（a）は本発明が規定する播種台紙の説明図である。図１（b）は、図１（a）の線AA‘での断面概略図である。図１（c）は図１（a）の播種台紙１が畑内に埋め込まれたときの状態の説明図である。
【図２】図２（a）は本発明が規定する上記と異なる播種台紙の説明図である。図２（ b）は、図２（a）の線AA‘での断面概略図である。図２（c）は図２（a）で示される播種台紙とほぼ同じであるが、でんぷん糊塗布部３５の配置位置が異なる播種台紙の断面概略図である。すなわち、図２（a）で示される播種台紙においてでんぷん糊塗布部３５がでんぷん糊塗布部３と反対側に配置された播種台紙の線AA‘での断面概略図である。
【発明を実施するための形態】
【００１８】
以下、図を用いて本発明を説明するが、本発明はこれら説明に何ら限定されない。
（発明を実施するための形態１）
図１（a）は本発明が規定する播種台紙の説明図であり、前記播種台紙の一部を欠いた外観の概略を示した図である。図１（ b）は、図１（a）の線AA’での断面概略図である。
【００１９】
図１（a）、図１（ b）において、平行線１１が引かれた紙テープ１の表面に複数個のでんぷん糊塗布部３が設けられ、でんぷん糊塗布部同士はほぼ１０ｃｍの間隔が保たれている。なお、でんぷん糊塗布部の間隔はでんぷん糊塗布部のほぼ中心を基準として決めている（以下、同様）。それら複数個のでんぷん糊塗布部３は紙テープ１の一方の端から幅方向にほぼ５ｍｍの間隔が保たれている。
前記でんぷん糊塗布部表面には３粒の植物種子２が紙テープの一端とほぼ平行に載置させられ、さらに直径がほぼ１０ｍｍの円形状の擁護シール４で覆われている。
複数個のでんぷん糊塗布部同士の間には、化成肥料の粒が載置されたでんぷん糊塗布部３５が複数個配置され、上記擁護シール４で覆われている。
播種台紙１０には、植物種子が載置されたでんぷん糊塗布部と化成肥料の粒が載置されたでんぷん糊塗布部を切離すことができるミシン目８を有していてもよい。
【００２０】
以下、図１（a）に示される播種台紙の作製法を説明する。
幅が１８ｍｍの送迎用紙テープを６０ｃｍ程度の長さに切取り、紙テープ１を用意した。紙テープ１の一端からほぼ５ｍｍ離れて平行線１１を引いた。当該テープ１の端部の平行線１１上にでんぷん糊収容チューブの口（口径は約７ｍｍ）（図示されていない）をあて、でんぷん糊を平行線１１上に植物種子が２−４粒載せられる量だけ押出し、でんぷん糊塗布部３を設けた。当該でんぷん糊塗布部３から約１０ｃｍ離れた平行線１１上に前記でんぷん糊収容チューブの口をあて、でんぷん糊をテープ１表面に植物種子が２−４粒載せられる量だけ押出し、でんぷん糊塗布部３を設けた。同様な操作を繰り返し、複数個のでんぷん糊塗布部が設けられた紙テープを得た。当該紙テープのでんぷん糊塗布部表面であって平行線１１にほぼ相当する部位に小松菜種子を３粒並べて載せ、直径がほぼ１０ｍｍの円形状の和紙製擁護シール４で覆った。
前記小松菜種子が擁護シールで覆われた紙テープにおいて、二つのでんぷん糊塗布部３、３のほぼ中間で平行線１１よりも６ｍｍほどテープの他の端よりに前記でんぷん糊収容チューブの口をあて、化成肥料の粒が１−２粒載せられる量だけ押出し、でんぷん糊塗布部３５を設けた。同様な操作を繰り返し、複数個のでんぷん糊塗布部が設けられた紙テープを得た。当該紙テープのでんぷん糊塗布部に化成肥料の粒５を１粒載置し、上記擁護シール４で覆い、播種台紙１０を得た。
【００２１】
図１（a）で示された播種台紙を畑に埋め込む方法及び播種台紙が埋め込まれた状態を、図１（a）、図１（c）を参考にして説明する。なお、図１（c）は図１（a）の播種台紙１０が畑内に埋め込まれたときの状態を畑土の断面９２として説明する図である。
割りばし（図示されていない）の一方の端からほぼ１８ｍｍの部分に印をつけ、当該割りばしの他の端側を掴み、畑土に割りばしをほぼ垂直にして、前記印まで押し込みそのままの状態で７０ｃｍほど横方向に移動させ、播種台紙埋め込み用溝を設けた。なお、畑土は極めて柔らかく、例えば木製の角棒（５ｍｍ×５ｍｍ×７０ｃｍ）をほぼ垂直に立てた状態で押圧すると２０ｃｍ程まで簡単に垂直状態を保持したまま押し込むことができ、その状態で割りばしを簡単に横方向に移動させることができ、深さが２０ｃｍほどまでの溝は簡単に得られた。
前記溝に播種台紙１０を縦にして当該播種台紙の一端が畑表面と同じレベルとなるように差込み、溝が埋まる程度の少量の畑土を播種台紙１０の端部に軽くかけ、ジョウロでたっぷり水をかけ、播種台紙１０を畑に埋め込んだ。
播種台紙１０は畑土９２内に埋め込まれ、播種台紙の一端は空気層９３にさらされ、播種台紙１０の一端は畑土表面９１とほぼ同一の表面を構成するように埋め込まれていた。固定された種子や化成肥料の剥がれ落ちることもなく、操作性よく、播種台紙を埋め込むことができた。
発芽直後の間引き作業は不要であった。本場３〜５枚のころに間引き作業を行い、形の良いものを残し、他のものを間引いた。発芽時期が揃ったので、間引き作業は一回で済んだ。小松菜は順調に成長した。
【００２２】
（発明を実施するための形態２）
図１（a）とほぼ同じであるが、でんぷん糊塗布部３５の配置部位が図１（a）と異なる播種台紙を、発明を実施するための形態２として例示する。この播種台紙の外観を示す図は図１（a）と類似するので省略する。
当該播種台紙は、図１（a）において、擁護シール４で覆われ、化成肥料の粒５が載置されたでんぷん糊塗布部３５が、でんぷん糊塗布部３が配置された面と反対側の面であって、しかも、図１（a）のでんぷん糊塗布部３５の配置部位に相当する部位に配置されている。
ここでいう、粒状肥料が載置されたでんぷん糊塗布部に相当する部位は、段落番号０００８の請求項２や、図２（c）、図２（b）からも明らかであるので、とくに図を用意していない。
以下、発明を実施するための形態２として例示する播種台紙の作製法を説明する。
幅が１８ｍｍの送迎用紙テープを６０ｃｍ程度の長さに切取り、紙テープ１を用意し、段落番号００２０で記載した同じ方法により小松菜種子が擁護シールで覆われた紙テープを得た。
当該紙テープを裏返し、小松菜種子が擁護シールで覆われた面と反対側の面において、二つのでんぷん糊塗布部３、３に相当する部位のほぼ中間で平行線１１よりも６ｍｍほどテープの他の端よりに前記でんぷん糊収容チューブの口をあて、化成肥料の粒が１−２粒載せられる量だけ押出し、でんぷん糊塗布部３５を設けた。同様な操作を繰り返し、複数個のでんぷん糊塗布部が設けられた紙テープを得た。当該紙テープのでんぷん糊塗布部に化成肥料の粒を１粒載置し、上記擁護シールで覆い、播種台紙を得た。
当該播種台紙を段落番号００２１に記載された同じ方法で畑土に埋め込んだ。固定された種子や化成肥料の剥がれ落ちもなく、操作性よく、播種台紙を埋め込むことができた。
発芽直後の間引き作業は不要であった。本場３〜５枚のころに間引き作業を行い、形の良いものを残し、他のものを間引いた。発芽時期が揃ったので、間引き作業は一回で済んだ。小松菜は順調に成長した。
【００２３】
（発明を実施するための形態３）
図２（a）は本発明が規定する上記と異なる播種台紙の説明図であり、前記播種台紙の外観の概略を示した図である。図２（ b）は、図２（a）の線AA‘での断面概略図である。
図２（a）、図２（ b）において、直径がほぼ３０ｍｍの円形台紙１５の表面に複数個のでんぷん糊塗布部３が配置され、でんぷん糊塗布部同士はほぼ１５ｍｍの間隔が保たれた。前記でんぷん糊塗布部表面には２粒のホウレン草種子２が円形台紙の中心点方向の線上に載置され、さらに、でんぷん糊塗布部３同士の間、および円形台紙１５のほぼ中心には、１粒の化成肥料の粒５が載置されたでんぷん糊塗布部３５が複数個配置された。ホウレン草種子２と化成肥料の粒５は直径がほぼ３２ｍｍの紙製擁護シール４で覆われた。
【００２４】
以下、図２（a）に示される播種台紙の作製法を説明する。
直径がほぼ３０ｍｍの和紙製円形シート（図示されていない）表面で、端から５ｍｍほど内側にでんぷん糊収容チューブの口（口径は約７ｍｍ）（図示されていない）をあて、ホウレン草種子が１−２粒載せられる量だけでんぷん糊を押出し、でんぷん糊塗布部３を設けた。当該でんぷん糊塗布部３から約１５ｍｍ離れた部位、及び当該部位から約１５ｍｍ離れた部位であって、相互に約１５ｍｍ離れるような部位の２か所にも、前記でんぷん糊収容チューブの口をあて、ホウレン草種子が１−２粒載せられる量だけでんぷん糊を押出し、でんぷん糊塗布部３を設けた。それらでんぷん糊塗布部にホウレン草種子２粒を円形台紙の中心点方向の線上に載置した。次に、円形台紙の中心付近、及び隣接するでんぷん糊塗布部３の間に前記でんぷん糊収容チューブの口をあて、化成肥料の粒が１−２粒載せられる量だけでんぷん糊を押出し、でんぷん糊塗布部３５を設けた。それらでんぷん糊塗布部に化成肥料を１粒載置した。次に、ホウレン草種子及び化成肥料の粒５を直径がほぼ３２ｍｍの和紙製擁護シール４で覆い、播種台紙１０を得た。
【００２５】
図２（a）、で示された播種台紙を畑に埋め込む方法を以下説明する。  
畑表面の一部を穴あきマルチングシートで覆った。マルチングシートの穴（直径がほぼ４０ｍｍ）に、前記図２（a）、で示された播種台紙を配置した。前記マルチングシートの穴よりも小さく擁護シールよりもやや大きめの直径を有する空き缶又は空き瓶の底部擁護シールにあて、当該空き缶又は空き瓶をほぼ垂直に押し込み、前記播種台紙を５mm程押し込んだ。次いで、当該空き缶又は空き瓶を引上げ、前記播種台紙の上に畑土をほぼ平面となる量だけ乗せ、ジョウロでたっぷり水をかけ、播種台紙を畑に埋め込んだ。固定された種子や化成肥料の剥がれ落ちもなく、操作性よく、播種台紙を埋め込むことができた。
発芽直後の間引き作業は不要であった。本場４〜６枚のころに間引き作業を行い、形の良いものを残し、他のものを間引いた。発芽時期が揃ったので、間引き作業は一回で済んだ。ホウレン草は順調に成長した。
【００２６】
（発明を実施するための形態４）
図２（a）とほぼ同じであるが、でんぷん糊塗布部３５の配置部位が図２（a）と異なる播種台紙を、発明を実施するための形態４として例示する。
この播種台紙の外観を示す図は図２（a）と類似するので省略するが、図２（c）に播種台紙の概略断面を示す。すなわち、図２（c）は、図２（a）の線ＡＡ‘において、でんぷん糊塗布部３５がでんぷん糊塗布部３と異なる面に設けられているときの断面概略図である。
実施するための形態４として例示した播種台紙は、図２（a）において、化成肥料の粒５が載置されたでんぷん糊塗布部３５が、でんぷん糊塗布部３が設けられた面と反対側の面であって、しかも、図１（a）のでんぷん糊塗布部３５の配置部位に相当する部位に配置されている。  ここでいう、粒状肥料が載置されたでんぷん糊塗布部に相当する部位は、図２（c）、図２（b）からも明らかである。
以下、発明を実施するための形態４として例示する播種台紙の作製法を説明する。
直径がほぼ３０ｍｍの円形台紙を用意し、段落番号００２３で記載した同じ方法によりホウレン草種子を載置した円形台紙を得、次いで直径がほぼ３２ｍｍの紙製擁護シールでホウレン草種子を覆い、円形台紙を得た。
当該円形台紙を裏返し、ホウレン草種子が擁護シールで覆われた面と反対側の面において、二つのでんぷん糊塗布部３、３に相当する部位のほぼ中間及び円形台紙のほぼ中心に前記でんぷん糊収容チューブの口をあて、化成肥料の粒が１−２粒載せられる量だけ押出し、でんぷん糊塗布部３５を設けた。次いで、当該でんぷん糊塗布部に化成肥料の粒を１粒載置し、上記擁護シールで覆い、播種台紙を得た。
当該播種台紙を段落番号００２５に記載された同じ方法で畑土に埋め込んだ。固定された種子や化成肥料の剥がれ落ちもなく、操作性よく、播種台紙を埋め込むことができた。
発芽直後の間引き作業は不要であった。本場３〜５枚のころに間引き作業を行い、形の良いものを残し、他のものを間引いた。発芽時期が揃ったので、間引き作業は一回で済んだ。ホウレン草は順調に成長した。
【００２７】
本発明を以下のように表すことができる。
（１）水溶性又は生分解性の円形台紙表面又は紙製円形台紙表面に複数個のでんぷん糊塗布部を、それぞれのでんぷん糊塗布部同士が相互に所定間隔を保つように設け、前記でんぷん糊塗布部に１粒あるいは複数粒の植物種子を載置すると共に、隣接する前記でんぷん糊塗布部同士の間に粒状肥料が載置されたでんぷん糊塗布部を配置し、しかも前記植物種子と粒状肥料とは紙製擁護シールで覆われている播種台紙を、畑土表面とほぼ平行となるように埋め込むことを特徴とする植物種子を畑土内で所定の深さに存在させる植物種子の播種方法。
（２）水溶性又は生分解性の円形台紙表面又は紙製円形台紙表面に複数個のでんぷん糊塗布部を、それぞれのでんぷん糊塗布部同士が相互に所定間隔を保つように設け、前記でんぷん糊塗布部に１粒あるいは複数粒の植物種子を載置すると共に、前記でんぷん糊塗布部と反対側の面であって、前記隣接するでんぷん糊塗布部に相当する部位の間に粒状肥料が載置されたでんぷん糊塗布部を配置し、しかも前記植物種子と粒状肥料とは紙製擁護シールで覆われていることを特徴とする上記（１）に記載の播種方法に使用される播種台紙。
【符号の説明】
【００２８】
１      紙テープ
１０    播種台紙
１１    平行線
１５    円形台紙
２      植物種子
３      でんぷん糊塗布部
３５    でんぷん糊塗布部
４      擁護シール
５      化成肥料の粒
８    ミシン目
９１    畑土の表面
９２    畑土
９３    空気層
【図１】
2015073500.tif 000003
【図２】
2015073500.tif 000004